(57)【要約】【課題】三相交流全波整流回路による直流化された電源を利用し、簡単に導入でき、安価で長寿命な三相ＬＥＤ照明システムを提供する。【解決手段】第１実施形態の三相ＬＥＤ照明システム１は、三相交流電源１０のＡＣ電圧を全波整流してＤＣ電圧を出力する三相全波整流ＤＣ電源２０と、三相全波整流ＤＣ電源２０に並列接続される複数のＬＥＤ照明装置３０，３０，…と、三相全波整流ＤＣ電源２０から出力されたＤＣ電圧を複数のＬＥＤ照明装置３０，３０，…の各々に供給する電源供給配線４０を備えて構成されている。【選択図】図１
2019079707.tif 000002
【特許請求の範囲】
【請求項１】
三相交流電源のＡＣ電圧を全波整流してＤＣ電圧を出力する三相全波整流ＤＣ電源と、
前記三相全波整流ＤＣ電源に並列接続される複数のＬＥＤ照明装置と、
前記三相全波整流ＤＣ電源から出力されたＤＣ電圧を前記複数のＬＥＤ照明装置の各々に供給する電源供給配線を備えたことを特徴とする三相ＬＥＤ照明システム。
【請求項２】
前記三相全波整流ＤＣ電源が、
前記三相交流電源の各相に接続され、各相のＡＣ電圧を前記ＬＥＤ照明装置に適合する定格電圧に降圧する絶縁電源トランスと、
前記絶縁電源トランスにより降圧された各相のＡＣ電圧を全波整流して出力する三相全波整流回路からなることを特徴とする請求項１に記載の三相ＬＥＤ照明システム。
【請求項３】
前記三相全波整流ＤＣ電源が、
前記三相全波整流回路から前記ＬＥＤ照明装置に出力される出力電流を制限する電流制限回路を更に備えたことを特徴とする請求項２に記載の三相ＬＥＤ照明システム。
【請求項４】
前記三相全波整流ＤＣ電源が、
前記三相全波整流回路から前記ＬＥＤ照明装置に出力される出力電圧を平滑する平滑回路を更に備えたことを特徴とする請求項２に記載の三相ＬＥＤ照明システム。
【請求項５】
前記ＬＥＤ照明装置が、
ランプ専用電源回路からＬＥＤランプに出力される出力電流を制限する電流制限回路を更に備えたことを特徴とする請求項２又は４に記載の三相ＬＥＤ照明システム。
【発明の詳細な説明】
【技術分野】
【０００１】
本発明は、高温（＋５０℃以上）や低温（−１０℃以下）環境、大電力を使用する高磁界環境、低ノイズ環境等で利用することができる三相ＬＥＤ照明システムに関する。
【背景技術】
【０００２】
従来、ＬＥＤ照明の電源として直流安定化電源と単相全波整流電源が利用されている。
【０００３】
直流安定化電源は、図１４に示すように、整流回路と平滑回路と安定化回路から構成されている。この電源は、整流回路で交流電圧を直流電圧に変換し、平滑回路で脈流を平滑化した後、安定化回路で電圧変動を取り除いて安定化した直流電圧を負荷のＬＥＤに出力するものである。しかし、直流安定化電源は、その構成上以下のような問題がある。
【０００４】
・交流から直流への変換時にスイッチングノイズが発生する。
・平滑用電解コンデンサを用いているため、ＬＥＤの寿命に比べて電源の寿命が短い。
・大出力電源として使用する場合はサイズやコストの面で不利である。
・標準化された規格品以外はコストの面で不利となる。
・ＬＥＤに適合する電源の入手が難しい。
・安定化電源は出力用電線を長くすることができない（１０ｍ〜２０ｍ以内）。
【０００５】
これに対し、単相全波整流電源は、図１５に示すように、変圧器とブリッジ型整流回路から構成されている。この電源は、変圧器で交流電源の入力電圧を降圧し、ブリッジ型整流回路で交流電圧を全波整流した後、脈流電圧を負荷のＬＥＤに出力するものである。しかし、単相全波整流電源は、その構成上以下のような問題がある。
【０００６】
・図１５の出力電圧波形に示すように、電流が流れない時間が発生するため、ＬＥＤが点灯と消灯を繰り返すパルス点灯になり、照明にちらつきが発生する。
・直流電源に比べて照度が少ないため、照明が暗くなる。
・直流電源と同程度の照度を得るためには、最大電流値を直流時の３〜３．５倍にする必要がある。
【０００７】
一方、このような問題を解決するため、三相交流電源を利用する方法も考えられる。図１６は三相全波整流回路の構成とその出力電圧波形を示したものである。三相全波整流回路は、三相交流電源を三相ブリッジ回路で全波整流した出力電圧が√３/２ｅ〜√２ｅＶの範囲内で変動しており、その変動幅Ａは、図１７の単相全波整流回路の変動幅Ｂよりも小さく、０Ｖにならない。すなわち、三相全波整流回路は、単相全波整流回路に比べて以下の利点がある。
【０００８】
・出力電圧の変動幅が小さく、出力電圧の最小値が０Ｖにならない。
・ＬＥＤがパルス点灯にならないため、直流電源と同程度の照度を得ることができる。
・最大電流値を小さくすることができる。
【０００９】
なお、一般的な三相交流電源を利用した全波整流回路として、下記の特許文献１に記載されたＬＥＤ駆動装置に関する発明が知られている。
【先行技術文献】
【特許文献】
【００１０】
【特許文献１】特開２０１６−９１８２６号公報
【発明の概要】
【発明が解決しようとする課題】
【００１１】
前記のように、三相交流電源を利用した全波整流回路は、従来の直流安定化電源や単相全波整流電源に比べて利点が多く、ノイズ発生の少ないＩＴ関連の事務所、鉄鋼・化学等の高温・低温環境の工場や冷凍倉庫等のＬＥＤ照明電源に利用するのに有利であると考えられる。
【００１２】
しかしながら、一般的な三相交流電源はＡＣ２００Ｖ以上の高圧の交流電源であり、特に取り扱いに注意を要するため、現在の工場や事務所等においては三相交流電源を簡単に利用できる状況にない。また、三相交流電源は照明用としては配線されておらず、現状では照明用としてＡＣ１００Ｖ又はＡＣ２００Ｖの単相電源しか配線されていないため、三相交流電源を利用する場合には新たに照明専用の三相配線が必要になる。これらのことが前記のような大型施設の照明のＬＥＤ化に伴う障害となっていた。
【００１３】
本発明は以上のような問題を解決するためになされたものであり、その目的とするところは、三相交流全波整流回路による直流化された電源を利用し、簡単に導入でき、安価で長寿命な三相ＬＥＤ照明システムを提供することにある。
【課題を解決するための手段】
【００１４】
前記の目的を達成するため、本発明は、三相交流電源のＡＣ電圧を全波整流してＤＣ電圧を出力する三相全波整流ＤＣ電源と、前記三相全波整流ＤＣ電源に並列接続される複数のＬＥＤ照明装置と、前記三相全波整流ＤＣ電源から出力されたＤＣ電圧を前記複数のＬＥＤ照明装置の各々に供給する電源供給配線を備えたことを特徴とする三相ＬＥＤ照明システムを提供するものである。
【００１５】
本発明において、前記三相全波整流ＤＣ電源が、前記三相交流電源の各相に接続され、各相のＡＣ電圧を前記ＬＥＤ照明装置に適合する定格電圧に降圧する絶縁電源トランスと、前記絶縁電源トランスにより降圧された各相のＡＣ電圧を全波整流して出力する三相全波整流回路からなる構成を採用することができる。
【００１６】
ここで、前記三相全波整流ＤＣ電源が、前記三相全波整流回路から前記ＬＥＤ照明装置に出力される出力電流を制限する電流制限回路を更に備えていても良い。
【００１７】
また、前記三相全波整流ＤＣ電源が、前記三相全波整流回路から前記ＬＥＤ照明装置に出力される出力電圧を平滑する平滑回路を更に備えていても良い。
【００１８】
また、前記ＬＥＤ照明装置が、ランプ専用電源回路からＬＥＤランプに出力される出力電流を制限する電流制限回路を更に備えていても良い。
【発明の効果】
【００１９】
本発明の三相ＬＥＤ照明システムによれば、直流安定化電源や単相全波整流電源を使用しなくて済むため、以下のような特有な効果が得られる。
【００２０】
・電源の寿命が大幅に向上し、長期にわたり安定した電力を供給することができる。
・ノイズの発生を確実に防止することができる。
・出力電圧の変動幅が小さく、ＬＥＤが点灯と消灯を繰り返すパルス点灯にならない。
・ＬＥＤランプの最大電流値を上げなくても直流電源と同程度の照度が得られる。
・ちらつきを抑えて、安定した明るい照明を実現することができる。
・高温・低温の工場や冷凍倉庫、大電力を使用する工場等で利用することができる。
・１個の三相全波整流回路又は電源で複数のＬＥＤ照明装置を点灯することができる。
・従来の電源に比べて電圧を高くすることができるため、ＬＥＤの数を多くして電流を小さくし、電力供給用配線の電圧降下を小さくすることができる。
【図面の簡単な説明】
【００２１】
【図１】本発明の三相ＬＥＤ照明システムの第１実施形態を示す全体図。
【図２】図１における三相全波整流ＤＣ電源を示す回路図と出力電圧波形図。
【図３】図１におけるＬＥＤ照明装置の一例を示す回路図と電圧波形図。
【図４】図１におけるＬＥＤ照明装置の変形例を示す回路図と電圧波形図。
【図５】図１におけるＬＥＤ照明装置の他の変形例を示す回路図と電圧波形図。
【図６】図５における電流制限回路を示す回路図。
【図７】本発明の三相ＬＥＤ照明システムの第２実施形態を示す全体図。
【図８】図７における三相全波整流ＤＣ電源を示す回路図と出力電圧波形図。
【図９】図８における電流制限回路を示す回路図。
【図１０】図７におけるＬＥＤ照明装置の一例を示す回路図と電圧波形図。
【図１１】本発明の三相ＬＥＤ照明システムの第３実施形態を示す全体図。
【図１２】図１１における三相全波整流ＤＣ電源を示す回路図と出力電圧波形図。
【図１３】図１１におけるＬＥＤ照明装置の一例を示す回路図と電圧波形図。
【図１４】従来の直流安定化電源の回路図。
【図１５】従来の単相全波整流電源の回路図と出力電圧波形図。
【図１６】従来の三相全波整流回路の回路図と出力電圧波形図。
【図１７】従来の単相全波整流回路の回路図と出力電圧波形図。
【発明を実施するための形態】
【００２２】
以下、本発明を実施するための形態について、図面を参照しながら説明する。
【００２３】
本発明の三相ＬＥＤ照明システムは、高温・低温、磁界電界の強い場所等でのＬＥＤ照明を簡単かつ安価に導入できるように開発されたものであり、その用途としては、例えば鉄鋼関連の工場、冷凍倉庫、大電力を使用する工場等のＬＥＤ照明化などが考えられる。
【００２４】
図１は本発明の第１実施形態を示したものである。この三相ＬＥＤ照明システム１は、三相交流電源１０のＡＣ電圧を全波整流してＤＣ電圧を出力する三相全波整流ＤＣ電源２０と、三相全波整流ＤＣ電源２０に並列接続される複数のＬＥＤ照明装置３０，３０，…と、三相全波整流ＤＣ電源２０から出力されたＤＣ電圧を複数のＬＥＤ照明装置３０，３０，…の各々に供給する電源供給配線４０を備えて構成されている。本実施形態では、ＡＣ２００Ｖの三相電力を、三相全波整流ＤＣ電源２０でＤＣ１００Ｖ、１０Ａの供給電力に変換して出力することにより、定格消費電力がＤＣ１００Ｖ、１ＡのＬＥＤ照明装置３０を最大１０台まで接続できるようになっている。なお、三相全波整流ＤＣ電源２０と同一の電圧でＬＥＤ照明装置３０の電流の合計が同一であれば、ＬＥＤ照明装置３０の種類に関係なく接続できる。
【００２５】
三相全波整流ＤＣ電源２０は、図２に示すように、絶縁電源トランス２１と三相全波整流回路２２を備えて構成されている。絶縁電源トランス２１は、一次巻線と二次巻線が電気的に絶縁されたトロイダルトランス等からなり、三相交流電源１０のＵ−Ｖ相、Ｖ−Ｗ相、Ｗ−Ｕ相の各相に接続され、各相のＡＣ電圧をＬＥＤ照明装置３０のＬＥＤランプ３２に適合する定格電圧に降圧する。三相全波整流回路２２は、３対のダイオードブリッジによる全波整流回路からなり、絶縁電源トランス２１で降圧された三相のＡＣ電圧を全波整流して出力する。本実施形態では三相全波整流回路２２の出力電流を制限していないため、三相全波整流ＤＣ電源２０の出力電圧は、図２のように、ＬＥＤランプ３２が消灯するＯＦＦ電圧よりも高い（√２−√３/２）ｅ＝０．１８９ｅの範囲内で変動する全波整流波形となる。なお、図２におけるコンデンサ２３は高周波ノイズを除去するための素子である。
【００２６】
ＬＥＤ照明装置３０は、図３に示すように、ランプ専用電源回路３１とＬＥＤランプ３２を備えて構成されている。ランプ専用電源回路３１はヒューズ３３を介して三相全波整流ＤＣ電源２０に接続される誤配線防止用のブリッジ整流回路３４からなり、ＬＥＤランプ３２はブリッジ整流回路３４の出力端子に直列接続される複数個のＬＥＤ３５，３５からなる。本実施形態のＬＥＤ照明装置３０によれば、ランプ専用電源回路３１からＬＥＤランプ３２に供給される出力電圧Ｖは、図３のような全波整流波形となる。なお、図３において、ブリッジ整流回路３４の出力端子に平滑コンデンサ（図示略）が並列接続されていても良い。
【００２７】
ＬＥＤ照明装置３０は、図４に示すように、ブリッジ整流回路３４とＬＥＤランプ３２の間に電流制限抵抗３６が設けられていても良い。この構成によれば、ＬＥＤランプ３２の駆動時に温度上昇によってＬＥＤ３５に大電流が流れるのを電流制限抵抗３６で制限し、ＬＥＤランプ３２の安定した明るさを確保することができる。
【００２８】
ＬＥＤ照明装置３０は、図５に示すように、ブリッジ整流回路３４とＬＥＤランプ３２の間に電流制限回路５０が設けられていても良い。この電流制限回路５０は、図６に一例を示すように、バイアス抵抗５１ａと、電界効果トランジスタ（ＦＥＴ）５２と、トランジスタ５３と、電流制限抵抗５４を備えてなる。バイアス抵抗５１ａは、一端がダイオード５５と抵抗５６を介してブリッジ整流回路３４の出力端子Ｂに接続され、他端が回路安定化抵抗５１ｂを介して電界効果トランジスタ５２のゲートに接続される。電界効果トランジスタ５２は、ドレインがＬＥＤランプ３２の入力端子Ｃに接続され、ソースが電流制限抵抗５４の一端に接続される。トランジスタ５３は、ベースが電界効果トランジスタ５２のソースに接続され、コレクタがバイアス抵抗５１ａの他端に接続され、エミッタが電流制限抵抗５４の他端に接続される。なお、ダイオード５５は逆流を防止するための素子、抵抗５６はバイアスに過電圧がかかるのを防止するための素子、ツェナーダイオード５７はバイアス電圧を一定に保持するための素子、コンデンサ５８はバイアス電圧を直流に整流するための素子、コンデンサ５９は発振を防止してトランジスタ回路を安定化するための素子である。
【００２９】
図６の構成によれば、バイアス抵抗５１ａからゲート・ソース間に電圧がかかると、電界効果トランジスタ５２がＯＮし、入力端子ＣからＬＥＤランプ３２に電流が流れてＬＥＤ３５が点灯する。また、電流制限抵抗５４に流れる電流が制限電流１Ａを超えると、ベースにバイアス電圧がかかりトランジスタ５３がＯＮし、コレクタ・エミッタ間に電流が流れる。これにより、ゲート・ソース間の電圧が遮断されて電界効果トランジスタ５２がＯＦＦし、ＬＥＤランプ３２に流れる電流が遮断される。この電界効果トランジスタ５２とトランジスタ５３のＯＮ／ＯＦＦ切替が高速で行われることにより、ＬＥＤランプ３２に定格を超える過電流が流れるのを阻止し、制限電流１Ａに維持することができる。したがって、本実施形態のＬＥＤ照明装置１によれば、ランプ専用電源回路３１からＬＥＤランプ３２に供給される出力電圧Ｖは、図５のような全波整流波形の尖頭値部分がカットされた直流に近い電圧波形となる。
【００３０】
図７は本発明の第２実施形態を示したものである。この三相ＬＥＤ照明システム２は、三相全波整流ＤＣ電源２０と、複数のＬＥＤ照明装置３０，３０，…と、電源供給配線４０を備えて構成されている点では第１実施形態と同様であるが、三相全波整流ＤＣ電源２０の構成が異なっている。本実施形態では、ＡＣ２００Ｖの三相電力を、三相全波整流ＤＣ電源２０でＤＣ１００Ｖ、５Ａの供給電力に変換して出力することにより、定格消費電力がＤＣ１００Ｖ、０．５ＡのＬＥＤ照明装置３０を最大１０台まで接続できるようになっている。なお、三相全波整流ＤＣ電源２０と同一の電圧でＬＥＤ照明装置３０の電流の合計が同一であれば、ＬＥＤ照明装置３０の種類に関係なく接続できる。
【００３１】
三相全波整流ＤＣ電源２０は、図８に示すように、絶縁電源トランス２１と三相全波整流回路２２を備えて構成されており、本実施形態では三相全波整流回路２２の出力電流を制限するために電流制限回路６０が設けられている。この電流制限回路６０は、絶縁電源トランス２１で変換されたＡＣ１６ＶのＡＣ電圧をコントロール用電源として駆動し、三相全波整流ＤＣ電源２０からＬＥＤ照明装置３０に出力される出力電流を制限する。
【００３２】
電流制限回路６０は、図９に一例を示すように、ブリッジ整流回路６１と、３端子レギュレータ６２と、バイアス抵抗６３ａと、電界効果トランジスタ（ＦＥＴ）６４と、トランジスタ６５と、電流制限抵抗６６を備えてなる。３端子レギュレータ６２は、入力端子がブリッジ整流回路６１を介してコントロール用電源の出力端子Ａ，Ｂに接続され、出力端子がバイアス抵抗６３ａと回路安定化抵抗６３ｂを介して電界効果トランジスタ６４のゲートに接続される。電界効果トランジスタ６４は、ドレインがＬＥＤ照明装置３０の入力端子Ｄに接続され、ソースが電流制限抵抗６６の一端に接続される。トランジスタ６５は、ベースが電界効果トランジスタ６４のソースに接続され、コレクタが３端子レギュレータ６２の出力端子にバイアス抵抗６３ａを介して接続され、エミッタが電流制限抵抗６６の他端に接続される。なお、コンデンサ６７はバイアス電圧を直流に整流するための素子、コンデンサ６８は３端子レギュレータ６２を安定的に動作させるための素子、コンデンサ６９は発振を防止してトランジスタ回路を安定化するための素子である。
【００３３】
図９の構成によれば、コントロール用電源からブリッジ整流回路６１を介して入力されたＤＣ電圧は、３端子レギュレータ６２で降圧・安定化して出力される。そして、その出力電圧がゲート・ソース間にかかると、電界効果トランジスタ６３がＯＮし、入力端子ＤからＬＥＤ照明装置３０に電流が流れてＬＥＤランプ３２が点灯する。また、電流制限抵抗６５に流れる電流が制限電流を超えると、ベースにバイアス電圧がかかってトランジスタ６４がＯＮし、コレクタ・エミッタ間に電流が流れる。これにより、ゲート・ソース間の電圧が遮断されて電界効果トランジスタ６３がＯＦＦし、ＬＥＤ照明装置３０に流れる電流が遮断され、ＬＥＤランプ３２が消灯する。この電界効果トランジスタ６３とトランジスタ６４のＯＮ／ＯＦＦ切替が高速で行われることにより、ＬＥＤランプ３２に定格を超える過電流が流れるのを阻止し、制限電流に維持することができる。
【００３４】
ここで、本実施形態のように三相全波整流ＤＣ電源２０に電流制限回路６０を設けた場合には、ＬＥＤ照明装置３０に図５のような電流制限回路５０を設ける必要はない。すなわち、本実施形態のＬＥＤ照明装置３０は、図１０のようなランプ専用電源回路３１とＬＥＤランプ３２のみからなるシンプルな構成のものを使用することができる。
【００３５】
以上のとおり、本実施形態のＬＥＤ照明装置２によれば、三相全波整流ＤＣ電源２０において、三相全波整流回路２２の出力電流を制限することにより、図８のように全波整流波形の尖頭値部分がカットされた直流に近い電圧波形になる。また、三相全波整流回路２２の出力電流を直流になるまで制限した場合には、出力電圧の変動がなくなりフラットな直流の電圧波形になる。したがって、ランプ専用電源回路３１からＬＥＤランプ３２に供給される出力電圧Ｖを、図１０のように電流制限された直流に近い電圧波形とすることができる。
【００３６】
図１１は本発明の第３実施形態を示したものである。この三相ＬＥＤ照明システム３は、三相全波整流ＤＣ電源２０と、複数のＬＥＤ照明装置３０，３０，…と、電源供給配線４０を備えて構成されている点では第１実施形態と同様であるが、三相全波整流ＤＣ電源２０の構成が異なっている。本実施形態では、ＡＣ２００Ｖの三相電力を、三相全波整流ＤＣ電源２０でＤＣ１００Ｖ、５Ａの供給電力に変換して出力することにより、定格消費電力がＤＣ１００Ｖ、０．５ＡのＬＥＤ照明装置３０を最大１０台まで接続できるようになっている。なお、三相全波整流ＤＣ電源２０と同一の電圧でＬＥＤ照明装置３０の電流の合計が同一であれば、ＬＥＤ照明装置３０の種類に関係なく接続できる。
【００３７】
三相全波整流ＤＣ電源２０は、図１２に示すように、絶縁電源トランス２１と三相全波整流回路２２を備えて構成されており、本実施形態では三相全波整流回路２２の出力電圧を平滑するために平滑回路７０が設けられている。この平滑回路７０は、三相全波整流回路２２の出力端子に並列接続された電解コンデンサ７１からなり、三相全波整流回路２２で全波整流して出力された脈流電圧の脈動分を除去し、三相全波整流ＤＣ電源２０からＬＥＤ照明装置３０に出力される出力電圧を平滑化する。
【００３８】
本実施形態のＬＥＤ照明装置３０は、図１３に示すように、ランプ専用電源回路３１とＬＥＤランプ３２を備えて構成されており、ブリッジ整流回路３４とＬＥＤランプ３２の間に電流制限回路５０が設けられている。なお、電流制限回路５０の具体的な構成は、図６に示した回路と同様の構成を採用することができるので、ここでは説明を省略する。
【００３９】
以上のとおり、本実施形態のＬＥＤ照明装置３によれば、三相全波整流ＤＣ電源２０において、三相全波整流回路２２の出力電圧を平滑することにより、図１２のように出力電圧の変動幅が小さく直流に近い電圧波形になる。また、平滑回路７０の電解コンデンサ７１の容量を大きくすることで、三相全波整流回路２２の出力電圧を直流になるまで平滑した場合には、出力電圧の変動がなくなりフラットな直流の電圧波形になる。したがって、ランプ専用電源回路３１からＬＥＤランプ３２に供給される出力電圧Ｖを、図１３のように電流制限されたフラットな直流の電圧波形とすることができる。
【符号の説明】
【００４０】
１：三相ＬＥＤ照明システム（第１実施形態）
２：三相ＬＥＤ照明システム（第２実施形態）
３：三相ＬＥＤ照明システム（第３実施形態）
１０：三相交流電源
２０：三相全波整流ＤＣ電源
２１：絶縁電源トランス
２２：三相全波整流回路
２３：コンデンサ（高周波ノイズ除去用）
３０：ＬＥＤ照明装置
３１：ランプ専用電源回路
３２：ＬＥＤランプ
３３：ヒューズ
３４：ブリッジ整流回路（誤配線防止用）
３５：ＬＥＤ
３６：電流制限抵抗
４０：電源供給配線
５０：電流制限回路
５１ａ：バイアス抵抗（及びトランジスタの負荷抵抗）
５１ｂ：回路安定化抵抗
５１ｃ：ゲートリーク抵抗
５２：電界効果トランジスタ
５３：トランジスタ
５４：電流制限抵抗
５５：ダイオード（逆流防止用）
５６：抵抗（過電圧防止用）
５７：ツェナーダイオード（定電圧保持用）
５８：コンデンサ（整流用）
５９：コンデンサ（発振防止用）
６０：電流制限回路
６１：ブリッジ整流回路
６２：３端子レギュレータ
６３ａ：バイアス抵抗（及びトランジスタの負荷抵抗）
６３ｂ：回路安定化抵抗
６３ｃ：ゲートリーク抵抗
６４：電界効果トランジスタ
６５：トランジスタ
６６：電流制限抵抗
６７：コンデンサ（整流用）
６８：コンデンサ（安定動作用）
６９：コンデンサ（発振防止用）
７０：平滑回路
７１：電解コンデンサ
【図１】
2019079707.tif 000003
【図２】
2019079707.tif 000004
【図３】
2019079707.tif 000005
【図４】
2019079707.tif 000006
【図５】
2019079707.tif 000007
【図６】
2019079707.tif 000008
【図７】
2019079707.tif 000009
【図８】
2019079707.tif 000010
【図９】
2019079707.tif 000011
【図１０】
2019079707.tif 000012
【図１１】
2019079707.tif 000013
【図１２】
2019079707.tif 000014
【図１３】
2019079707.tif 000015
【図１４】
2019079707.tif 000016
【図１５】
2019079707.tif 000017
【図１６】
2019079707.tif 000018
【図１７】
2019079707.tif 000019
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
三相交流電源のＡＣ電圧を全波整流してＤＣ電圧を出力する三相全波整流ＤＣ電源と、
前記三相全波整流ＤＣ電源に並列接続される複数のＬＥＤ照明装置と、
前記三相全波整流ＤＣ電源から出力されたＤＣ電圧を前記複数のＬＥＤ照明装置の各々に供給する電源供給配線を備え、
前記三相全波整流ＤＣ電源が、
前記三相交流電源の各相に接続され、各相のＡＣ電圧を前記ＬＥＤ照明装置に適合する定格電圧に降圧する絶縁電源トランスと、
前記絶縁電源トランスにより降圧された各相のＡＣ電圧を全波整流して出力する三相全波整流回路からなることを特徴とする三相ＬＥＤ照明システム。
【請求項２】
前記三相全波整流ＤＣ電源が、
前記三相全波整流回路から前記ＬＥＤ照明装置に出力される出力電流を制限する電流制限回路を更に備えたことを特徴とする請求項１に記載の三相ＬＥＤ照明システム。
【請求項３】
前記三相全波整流ＤＣ電源が、
前記三相全波整流回路から前記ＬＥＤ照明装置に出力される出力電圧を平滑する平滑回路を更に備えたことを特徴とする請求項１に記載の三相ＬＥＤ照明システム。
【請求項４】
前記ＬＥＤ照明装置が、
ランプ専用電源回路からＬＥＤランプに出力される出力電流を制限する電流制限回路を更に備えたことを特徴とする請求項１又は３に記載の三相ＬＥＤ照明システム。
【手続補正２】
【補正対象書類名】明細書
【補正対象項目名】００１４
【補正方法】変更
【補正の内容】
【００１４】
前記の目的を達成するため、本発明は、三相交流電源のＡＣ電圧を全波整流してＤＣ電圧を出力する三相全波整流ＤＣ電源と、前記三相全波整流ＤＣ電源に並列接続される複数のＬＥＤ照明装置と、前記三相全波整流ＤＣ電源から出力されたＤＣ電圧を前記複数のＬＥＤ照明装置の各々に供給する電源供給配線を備え、前記三相全波整流ＤＣ電源が、前記三相交流電源の各相に接続され、各相のＡＣ電圧を前記ＬＥＤ照明装置に適合する定格電圧に降圧する絶縁電源トランスと、前記絶縁電源トランスにより降圧された各相のＡＣ電圧を全波整流して出力する三相全波整流回路からなることを特徴とする三相ＬＥＤ照明システムを提供するものである。
【手続補正３】
【補正対象書類名】明細書
【補正対象項目名】００１５
【補正方法】削除
【補正の内容】